(57)【要約】【課題】二波長レーザ光源を備えた光ヘッド装置から出射される二種類のレーザ光の光軸調整を容易にかつ、正確に行うことができる光軸調整装置およびこれを用いた光軸調整方法を提供すること。  【解決手段】二つの異なる波長のレーザ光が出射可能な二波長レーザ光源５２と、該二波長レーザ光源５２から出射される出射光Ｌの光記録媒体からの戻り光をそれぞれ受光するための二つの受光部が形成された受光面７２を有する受光素子と、前記出射光Ｌおよび戻り光ＬＲの光路を形成する光学系Ｋとから構成される光ヘッド装置５０の光軸を調整するための光軸調整装置１において、前記受光面７２における前記戻り光ＬＲのスポット位置を回転させるため、前記二波長レーザ光源５２、前記受光素子７０、および前記光学系Ｋを構成する光学素子のいずれかを回転させる回転部が設けられている光軸調整装置とした。  【選択図】図１
2008293623.tif 000002
【特許請求の範囲】
【請求項１】
二つの異なる波長のレーザ光が出射可能な二波長レーザ光源と、該二波長レーザ光源から出射される出射光の光記録媒体からの戻り光をそれぞれ受光するための二つの受光部が形成された受光面を有する受光素子と、前記出射光および戻り光の光路を形成する光学系とから構成される光ヘッド装置の光軸を調整するための光軸調整装置において、
前記受光面における前記戻り光のスポット位置を回転させるため、前記二波長レーザ光源、前記受光素子、および前記光学系を構成する光学素子のいずれかを回転させる回転部が設けられていることを特徴とする光軸調整装置。
【請求項２】
請求項１において、前記回転部は前記二波長レーザ光源が固定されたフレームおよび前記受光素子のいずれか一方を回転させるものであることを特徴とする光軸調整装置。
【請求項３】
請求項１または２のいずれかにおいて、前記二つの異なる波長のレーザ光によりそれぞれ再生される二種の光記録媒体のうちいずれか一方の光記録媒体と、該一方の光記録媒体を再生するための一方のレーザ光とは異なる他方のレーザ光を出射した場合における、該一方の光記録媒体に対する前記受光面での光軸ずれの大きさを、前記他方の光記録媒体に対する前記受光面での光軸ずれの大きさに変換するための補正手段とが設けられていることを特徴とする光軸調整装置。
【請求項４】
請求項１ないし３のいずれかに記載の光軸調整装置による光軸調整方法であって、いずれか一方の前記戻り光のスポット位置が一方の前記受光部に一致するように調整する第一の調整工程と、該第一の調整工程で調整した戻り光の光軸を中心として前記回転部を駆動することにより、他方の前記戻り光のスポット位置が他方の前記受光部に一致するように調整する第二の調整工程とを有することを特徴とする光軸調整方法。
【発明の詳細な説明】
【技術分野】
【０００１】
本発明は、光軸調整装置およびこれを用いた光軸調整方法に関し、更に詳しくは、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の光記録媒体の記録・再生を行う光ヘッド装置の光軸調整装置、およびこれを用いた光軸調整方法に関するものである。
【背景技術】
【０００２】
従来一般に、ＣＤやＤＶＤ等の光記録媒体の再生や記録を行う光ヘッド装置が知られている。この光ヘッド装置は、光源から出射されたレーザ光を光学系を介して光記録媒体上に照射し、その戻り光を受光素子が受光するよう構成される。
【０００３】
ところで、このようなＣＤ／ＤＶＤ互換の光ヘッド装置では、ＣＤ用とＤＶＤ用のレーザ光の波長が異なるため、上記受光素子の受光面には、二種類の戻り光を読み取るためのＣＤ用受光部およびＤＶＤ用受光部が形成されている。光ヘッド装置の組み立て工程では、戻り光の光量を正確に読み取るため、それぞれの受光部と戻り光のスポット位置が一致するよう、いわゆる光軸調整がなされる（例えば、特許文献１参照。）。
【０００４】
この光軸調整は、例えば、それぞれ独立したＣＤ用およびＤＶＤ用の二種類の光源が搭載されている光ヘッド装置の場合、ＣＤ用レーザ光の光軸調整装置およびＤＶＤ用の光軸調整装置により、ＣＤ、ＤＶＤ用レーザ光の光軸がそれぞれ調整される。つまり、図１３（ａ）に示されるように、受光面１００のＣＤ用受光部１００ａにＣＤ用レーザ光の戻り光ＳＰａを、ＤＶＤ用受光部１００ｂにＤＶＤ用レーザ光の戻り光ＳＰｂを一致させるように、それぞれのレーザ光についてＸ、Ｙ軸方向（二次元的）に光軸調整すればよい。
【０００５】
【特許文献１】特開２００６−３０２４１５号公報
【発明の開示】
【発明が解決しようとする課題】
【０００６】
しかしながら、この種の光ヘッド装置において、近年では、部品点数の削減や組立容易化のため、ＣＤドライブ用とＤＶＤドライブ用の発光素子とが一つにパッケージングされた、二種類の発光領域を有する二波長レーザ光源が多く使用される。この二波長レーザ光源を使用する場合、光軸調整においては、ＣＤおよびＤＶＤ用レーザ光の光軸を別個に調整することができない。
【０００７】
したがって、図１３（ｂ）に示されるように、ＣＤ用レーザ光の戻り光ＳＰａのＣＤ用受光部１００ａからのずれ量と、ＤＶＤ用レーザ光の戻り光ＳＰｂのＤＶＤ用受光部１００ｂとからのずれ量が異なる場合には、Ｘ、Ｙ軸方向の調節のみならず、回転方向の調節が必要となる。その結果、光軸調整に時間が掛かり、製造コストの上昇を招くだけでなく、ＣＤ、ＤＶＤ用レーザ光のそれぞれの戻り光のスポット位置と受光部を正確に一致させることができず、光ヘッド装置の信頼性が低下してしまうという問題があった。
【０００８】
本発明が解決しようとする課題は、二波長レーザ光源を備えた光ヘッド装置から出射される二種類のレーザ光の光軸調整を容易にかつ、正確に行うことができる光軸調整装置およびこれを用いた光軸調整方法を提供することにある。  
【課題を解決するための手段】
【０００９】
上記課題を解決するために本発明に係る光軸調整装置は、二つの異なる波長のレーザ光が出射可能な二波長レーザ光源と、該二波長レーザ光源から出射される出射光の光記録媒体からの戻り光をそれぞれ受光するための二つの受光部が形成された受光面を有する受光素子と、前記出射光および戻り光の光路を形成する光学系とから構成される光ヘッド装置の光軸を調整するための光軸調整装置において、前記受光面における前記戻り光のスポット位置を回転させるため、前記二波長レーザ光源、前記受光素子、および前記光学系を構成する光学素子のいずれかを回転させる回転部が設けられていることを要旨とするものである。
【００１０】
このような構成とすることにより、本発明に係る光軸調整装置によれば、光ヘッド装置を構成する二波長レーザ光源、受光素子および光学素子のいずれかを回転部により回転させることで、受光面における戻り光のスポット位置を回転移動させることが可能となる。そのため、光軸調整の対象となる光ヘッド装置が二波長レーザ光源を搭載したものであっても迅速な光軸調整を行うことができると共に、二種の戻り光を受光素子の受光部に正確に一致させることができ、光ヘッド装置の品質向上に寄与する。
【００１１】
この場合、請求項２に記載のように、前記回転部は前記二波長レーザ光源が固定されたフレームおよび前記受光素子のいずれか一方を回転させるものであれば好適である。これにより、光ヘッド装置の光軸調整をより迅速に行うことができると共に、光軸調整の構成を簡易なものとすることができる。
【００１２】
また、請求項３に記載のように、前記二つの異なる波長のレーザ光によりそれぞれ再生される二種の光記録媒体のうちいずれか一方の光記録媒体と、該一方の光記録媒体を再生するための一方のレーザ光とは異なる他方のレーザ光を出射した場合における、該一方の光記録媒体に対する前記受光面での光軸ずれの大きさを、前記他方の光記録媒体に対する前記受光面での光軸ずれの大きさに変換するための補正手段とが設けられていればさらに好ましい。これにより、いずれか一方の光記録媒体を搭載した一台の光軸調整装置で、二つの異なる波長のレーザ光の光軸調整が可能となる。よって、二台の光軸調整装置を使用する場合のように、一方の光軸調整装置から他方の光軸調整装置に載せかえる必要がないため、光軸調整を迅速に行うことができる。
【００１３】
また、上記課題を解決するために本発明に係る光軸調整方法は、請求項１〜３のいずれかに記載の光軸調整装置による光軸調整方法であって、いずれか一方の前記戻り光のスポット位置が一方の前記受光部に一致するように調整する第一の調整工程と、該第一の調整工程で調整した戻り光の光軸を中心として前記回転部を駆動することにより、他方の前記戻り光のスポット位置が他方の前記受光部に一致するように調整する第二の調整工程を有することを要旨とするものである。このような構成とすることにより、簡単に光軸調整を行うことができ、光ヘッド装置の製造コストの大幅な低減につながる。
【発明の効果】
【００１４】
本発明に係る光軸調整装置によれば、光ヘッド装置を構成する二波長レーザ光源、受光素子および光学素子のいずれかを回転部により回転させることで、受光面における戻り光のスポット位置を回転移動させることが可能となる。そのため、光軸調整の対象となる光ヘッド装置が二波長レーザ光源を搭載したものであり、二種類のレーザ光の光軸調整を一度に行わなければならないものであっても、容易に光ヘッド装置の光軸調整を行うことができる。
【００１５】
また、上記光軸調整装置を用いた光軸調整方法によれば、いずれか一方の戻り光のスポット位置を受光素子の受光部に一致させ、その一致させた光軸を中心として回転させることで、もう一方の戻り光のスポット位置は、その戻り光に対応した受光部に容易に一致する。したがって、光ヘッド装置の製造工程における光軸調整を迅速かつ正確なものとすることができ、光ヘッド装置のコストダウン、品質向上につながる。
【発明を実施するための最良の形態】
【００１６】
以下に本発明の実施の形態について図面を参照しつつ詳細に説明する。
【００１７】
図１は、本発明の第一の実施形態に係る光ヘッド装置の光軸調整装置１の構成を説明するための概略図である。この光軸調整装置１は、ＣＤおよびＤＶＤの再生・記録に対応した（いわゆるＣＤ／ＤＶＤデュアルライタードライブ）光ヘッド装置５０の光軸調整を行うための装置である。
【００１８】
光軸調整装置１は、ベースである基台５に、光ヘッド装置５０を回転させる回転部１０、光ヘッド装置５０の受光素子の取付位置を調整する取付位置調整部２０が取り付けられて構成されている。
【００１９】
回転部１０は、基台５上を回転可能に設けられた回転台１２と、この回転台に立設された支軸１４と、この支軸５４の側面から突出して設けられたフレーム取付軸１６ａ，１６ｂと、ディスク載置部３０とから構成されている。回転台１２は、基台１２上で軸Ｘを中心として回転するよう固定されている。また、支軸１４から突出した一方のフレーム取付軸１６ｂには、ネジ部１６１およびストッパ部１６２が形成されている。回転台１２に固定されたディスク載置部３０は、光軸調整のためのディスクＤｆが載置される部材である。なお、この光軸調整装置１には、実際に使用されるＣＤやＤＶＤディスクに代えて、ＣＤ用疑似ディスクおよびＤＶＤ用疑似ディスクを使用する。このような光軸調整装置１においては、実際のディスクはその径が大きすぎるため、光軸調整に際して障害になるからである。したがって、この疑似ディスクは、出力光を反射することができる最小の大きさに形成されている。
【００２０】
なお、後述するＣＤ用光軸調整装置、およびＤＶＤ用光軸調整装置の構成は、光軸調整のための上記ディスクＤｆが異なるだけで、その他の構成は同一である。
【００２１】
取付位置調整部２０は、支軸２２に受光素子保持部２４が取り付けられて構成されている。この受光素子保持部２４は、主軸２４１が直角に屈曲し、その先端付近に挾持部材２４２が取り付けられて構成されている。この挾持部材２４２は、主軸２４１とネジ部材２４３により連結されており、このネジ部材２４３を回転させることにより、主軸２４１と挾持部材２４２の幅Ｄが調節可能に構成されている。また、受光素子保持部２４は、支軸２２上を図中のＸ、Ｙ軸方向に移動可能に取り付けられている。
【００２２】
次に、このように構成される光軸調整装置１により光軸調整される光ヘッド装置５０について、図２および３を参照して説明する。図２は、光ヘッド装置５０の光学系の一例を模式的に示した概略構成図であり、図３は、この光ヘッド装置５０の外観斜視図である。また、図４は、この光ヘッド装置１に搭載された受光素子７０の外観斜視図である。
【００２３】
図２に示されるように、光ヘッド装置５０は、光源としての二波長レーザ光源５２と、この二波長レーザ光源５２から出射された出射光Ｌ（ＣＤ用の出射光をＬ１、ＤＶＤ用の出射光をＬ２とする。）を対物レンズ６０などを介して光記録ディスクＤに向かい集束させる往路、および前記光記録ディスクＤで反射した戻り光ＬＲ（ＣＤによる戻り光をＬＲ１、ＤＶＤによる戻り光をＬＲ２とする。）が受光素子７０に向かう復路を構成する光学系Ｋと、戻り光ＬＲを受光する信号検出用の受光素子７０とを備える。これらの構成部品がフレーム８０に固定されて、光ヘッド装置５０が構成される。
【００２４】
光源である二波長レーザ光源５２は、単一チップ上に異なる発光領域を持つ二つの半導体レーザ素子が集積されてなるものである。この二波長レーザ光源５２からＣＤに対応した赤色光域（約６５０ｎｍの帯域）の出射光Ｌ１、ＤＶＤに対応した近赤外光域（約７８０ｎｍの帯域）の出射光Ｌ２のいずれか一方が、図示されない制御装置により選択されて出射されることとなる。
【００２５】
光学系Ｋは、互いに直交する座標軸をＸ軸、Ｙ軸、Ｚ軸（図１中に矢印Ｘ、Ｙ、Ｚで示す）としたときに、二波長レーザ光源５２からＹ軸方向に出射された出射光ＬをＸ軸方向に反射する光路分離素子としてのハーフミラー５４と、ハーフミラー５４からの出射光Ｌを平行光にするコリメートレンズ５６と、この平行光ををＺ軸方向に立ち上げる全反射ミラー５８と、平行光を光記録ディスクＤの記録面に集束させる対物レンズ６０等から構成されている。そして、出射光Ｌは、光記録ディスクＤの記録面で反射された後、戻り光ＬＲとして光路を逆に辿り、ハーフミラー５４を透過して受光素子７０に受光される。
【００２６】
受光素子７０は、ＣＤあるいはＤＶＤの音声、映像信号等を得るため、戻り光ＬＲの受光量を算出するための素子である。図４に示されるように、戻り光ＬＲを受光する受光面７２には、ＣＤからの戻り光ＬＲ１を受光するＣＤ用受光部７２１、ＤＶＤからの戻り光ＬＲ２を受光するＤＶＤ用受光部７２２が形成されている。そして、側面から突出して電気的導通を図るための端子部７４が形成されている。なお、ＣＤ用受光部７２１とＤＶＤ用受光部７２２の間隔は、二波長レーザ光源５２から出射されるＣＤ用レーザ光とＤＶＤ用レーザ光の間隔と等しくなるように形成されている。
【００２７】
図３に示されるように、この二波長レーザ光源５２、光学系Ｋを構成する光学素子、および受光素子７０は、樹脂の一体成形品であるフレーム８０に固定されている。フレーム８０には、図示されない光記録ディスクＤを駆動する駆動装置のガイド軸が挿通される第一の軸受部８０１、および第二の軸受部８０２が形成されている。
【００２８】
二波長レーザ光源５２は、その接続端子部５２１を外側に向けてフレーム８０の側面に固定されている。対物レンズ６０は、フレーム８０のほぼ中央の枠状開口部８２に配設されたレンズ駆動部８１に固定されている。また、全反射ミラー５８は、対物レンズ６０の真下に固定されている。このレンズ駆動部８１を覆う第一の天板８４には、対物レンズ６０を露出させるための開口８４１が形成され、出射光Ｌはこの開口８４１を通って光記録ディスクＤに到達する。
【００２９】
一方、受光素子７０は、受光素子用基板７２に実装されて、この受光素子用基板７２を外側に向けてフレーム８０に取り付けられている。ここで、受光素子７０は、その取付位置の調整後（光軸調整後）、最終的には接着剤等により固定されるが、取付位置の調整前には、フレーム８０を覆う第二の天板８６から突出した屈曲片８６１により、フレーム８０に押圧されて仮固定される。また、ハーフミラー５４およびコリメートレンズ５６は、この第二の天板８６に覆われて、光軸上に取り付けられている。
【００３０】
次に、光軸調整装置１を用いた光ヘッド装置５０の光軸調整方法について説明する。図５のフローチャートを参照して説明する。
【００３１】
まず、光ヘッド装置５０は、図１に示されるように、第一の軸受部８０１および第二の軸受部８０２を利用してＣＤ用光軸調整装置に固定される（Ｓ１）。具体的には、フレーム取付軸１６ａおよび１６ｂに、第一の軸受部８０１および第二の軸受部８０２がフレーム取付軸１６ａのストッパ部１６２に当接する位置までそれぞれ挿通される。そして、フレーム取付軸１６ａのネジ部１６１にナットＮ等を螺号させることにより、光ヘッド装置５０が所定の位置に固定される。
【００３２】
そして、受光素子保持部２４の主軸２４１と挾持部材２４２の幅寸法Ｄを調節することで、受光素子７０が受光素子保持部２４により保持される。これにより、光ヘッド装置５０のＣＤ用光軸調整装置への取付が完了する。
【００３３】
光ヘッド装置５０の取付完了後、二波長レーザ光源５２からＣＤ用のレーザ光を出力（Ｓ２）する。そして、受光面７２におけるＣＤ用疑似ディスクからの戻り光ＬＲ１のスポットＳＰ１位置を読みながら、受光素子保持部２４を駆動させることにより、受光素子７０をＸおよびＹ軸方向に動かし、その取付位置調整（光軸調整）を行う（第一の調整工程）。具体的には、図６に示されるように、受光素子７０の受光面７２における戻り光ＬＲ１のスポット位置ＳＰ１が、ＣＤ用受光部７２１の中心と一致するように位置調整する（Ｓ３）。位置調整完了後、ＣＤ用レーザ光を消灯する（Ｓ４）。
【００３４】
この戻り光ＬＲ１の光軸の調整後、光ヘッド装置１をＣＤ光軸調整用装置から取り外し（Ｓ５）、ＤＶＤ用疑似ディスクが搭載されたＤＶＤ光軸調整装置に載せかえる（Ｓ６）。そして、二波長レーザ光源５２からＤＶＤ用のレーザ光を出力（Ｓ７）し、ＤＶＤ用疑似ディスクからの戻り光ＬＲ２のスポット位置ＳＰ２がＤＶＤ用受光部７２２と一致しているか（光軸ずれがあるか）を確認する（Ｓ８）。ここで、ＤＶＤ用レーザ光の光軸ずれがない場合（Ｓ８「ＮＯ」）には、ＣＤ用レーザ光およびＤＶＤ用レーザ光の光軸ずれはないため、光軸調整は完了する（Ｓ１５）。なお、光軸調整が完了した際には、接着剤等により、二波長レーザ光源５２および受光素子７０がフレーム８０に完全に固定される。
【００３５】
一方、戻り光ＬＲ２のスポット位置ＳＰ２がＤＶＤ用受光部７２２と一致していない場合、すなわちＤＶＤ用レーザ光の光軸ずれがある場合（Ｓ８「ＹＥＳ」）には、ＤＶＤ用レーザ光の光軸調整を行う。ここで、前述のように、ＣＤ用受光部７２１とＤＶＤ用受光部７２２の間隔は、二波長レーザ光源５２から出射されるＣＤ用レーザ光とＤＶＤ用レーザ光の間隔と等しい。よって、戻り光ＬＲ２のスポット位置は、図７（ａ）に示されるように、ＤＶＤ用受光部７２２から、ＣＤ用受光部７２１の中心点Ｃを中心とした回転方向にずれているはずである。したがって、図７（ｂ）に示されるように、基台５上の回転台１２を、ＣＤ用受光部７２１の中心点Ｃを中心として回転させることで、戻り光ＬＲ２のスポット位置ＳＰ２を回転させ、簡単にＤＶＤ用受光部７２２に一致させることができる（Ｓ９）（第二の調整工程）。
【００３６】
この後、ＤＶＤ用レーザ光を消灯（Ｓ１０）し、ＤＶＤ用光軸調整装置から光ヘッド装置５０を取り外す（Ｓ１０）。そして、再度ＣＤ用レーザ光の戻り光ＬＲ１のスポット位置ＳＰ１がＣＤ用受光部７２１と一致しているかを確認する（Ｓ１２〜Ｓ１４）。ここで、ＣＤ用レーザ光の戻り光ＬＲ１のスポット位置ＳＰ１がＣＤ用受光部７２１と一致している場合（Ｓ１４「ＮＯ」）には、光軸調整は終了し、一致していない場合（Ｓ１４「ＹＥＳ」）には、Ｓ３に戻り、再度ＣＤおよびＤＶＤ用レーザ光について光軸調整を行う。
【００３７】
なお、このようにＤＶＤ用レーザ光の光軸調整の終了後、再度ＣＤ用レーザ光の光軸ずれをチェックするのは、ＣＤ光軸調整用装置からＤＶＤ光軸調整装置に載せかえた際に、受光素子７０等の位置ずれが発生していないかを確認するためである。つまり、このような確認作業は必ずしも行う必要はなく、ＤＶＤ用レーザ光の光軸調整終了後、光ヘッド装置５０の光軸調整を終了することとしてもよい。
【００３８】
また、この光軸調整方法は、ＣＤの戻り光ＬＲ１の光軸調整を行った後、ＤＶＤの戻り光ＬＲ２のスポット位置ＳＰ２がＤＶＤ用受光部７２２と一致しているかどうかを確認するようにした方法であるが、その逆、つまり、ＤＶＤの戻り光ＬＲ２の光軸調整を行った後、ＣＤの戻り光ＬＲ１のスポット位置ＳＰ１がＣＤ用受光部７２１と一致しているかどうかを確認するようにしてもよい。
【００３９】
次に、本発明の第二の実施形態に係る光軸調整装置２について説明する。この光軸調整装置２は、詳細を後述する補正手段を有する点で上記第一の実施形態に係る光軸調整装置１と異なる。よって、機械的な構成は同一であるため、同一の符号を付し、説明を省略する。
【００４０】
光軸調整装置２は、光軸調整用ディスクとしてディスク載置部３０にＣＤ用疑似ディスクを備え、一台でＣＤおよびＤＶＤ用レーザ光の光軸調整が可能となるようにするための補正手段としてのメモリテーブルおよび信号増幅手段を備えている。
【００４１】
メモリテーブルには、搭載されたＣＤ用疑似ディスクにＤＶＤ用レーザ光を照射した場合の受光面７２における戻り光ＬＲ２の光軸ずれ量（以下、非対応状態の光軸ずれ量という。）と、ＤＶＤ用疑似ディスクにＤＶＤ用レーザ光を照射した場合の光軸ずれ量（以下、実際の光軸ずれ量という。）との相関関係のデータが格納されている。この保存された相関関係のデータは、使用する光源および疑似ディスクによって異なるため、光軸調整される光ヘッド装置５０について予め算出されている。
【００４２】
また、信号増幅手段は、得られた非対応状態の光軸ずれ量を、メモリテーブルに保存されている相関関係のデータに基づいて、ＣＤ用レーザ光の実際の光軸ずれ量に増幅（変換）し、その値を信号として出力するものである。  
【００４３】
このように構成される光軸調整装置２を用いた光ヘッド装置５０の光軸調整方法について、図８のフローチャートに沿って説明する。
【００４４】
まず、上記光軸調整装置１を用いる場合と同様に、光軸調整装置２に光ヘッド装置５０を取り付け（Ｓ１）、ＣＤ用レーザ光の光軸調整を行う（Ｓ２〜Ｓ４）。
【００４５】
この後、ＣＤ用疑似ディスクを搭載したままＤＶＤ用レーザ光を出力（Ｓ５）することにより、受光面７２にＣＤ用疑似ディスクからの戻り光ＬＲ２のスポットが形成される。この非対応状態のスポット位置は、補正手段としてのモニタ（図示されない）により、受光面７２における戻り光ＬＲ２のスポット位置のずれ量（後述するＰｘ（％）、Ｐｙ（％）で表される光軸ずれ量）として映し出される。すなわち、ＤＶＤ用レーザ光の非対応状態の光軸ずれ量が下記に詳述する算出方法にて算出され（Ｓ６）、モニタ上に映し出される。このようにして得られた非対応状態での光軸ずれ量から、メモリテーブルに基づき、実際の光軸ずれ量を得る（Ｓ７）。ここで、光軸ずれ量の算出方法、およびメモリテーブルに基づき、非対応状態の光軸ずれ量から実際の光軸ずれ量を算出する方法について、具体的な実施例に基づき説明する。
【００４６】
図９は、光ヘッド装置のＤＶＤ用レーザ光を、ＣＤ用疑似ディスクおよびＤＶＤ用疑似ディスクに出射したときの受光面７２における光軸ずれ量の相関関係を示したグラフである。ここで、図９におけるＰｘ（％）、Ｐｙ（％）とは、受光面７２におけるＸ軸、Ｙ軸方向の光軸ずれの割合である。光軸ずれ量の算出方法は、図１０に示されるように、ＤＶＤ用受光部７２２（あるいはＣＤ用受光部７２１）を四分割し、この分割した範囲における戻り光のスポット位置ＳＰの面積（Ａ〜Ｄ）を用い、以下の式で表される。
【００４７】
Ｐｘ＝（（（Ａ＋Ｄ）−（Ｂ＋Ｃ））／（Ａ＋Ｂ＋Ｃ＋Ｄ））×１００（％）
Ｐｙ＝（（（Ａ＋Ｂ）−（Ｃ＋Ｄ））／（Ａ＋Ｂ＋Ｃ＋Ｄ））×１００（％）
【００４８】
例えば、図１１（ａ）のような状態では、光軸ずれ量は、Ｐｘ＝１００（％）、Ｐｙ＝０（％）となる。また、図１１（ｂ）のような状態では、光軸ずれ量は、Ｐｘ＝０（％）、Ｐｙ＝＝−１００（％）となる。つまり、Ｐｘ値の絶対値が大きいほど、戻り光のスポット位置ＳＰのＸ軸方向への光軸ずれ量が大きく、Ｐｙ値の絶対値が大きいほど、戻り光のスポット位置ＳＰのＹ軸方向への光軸ずれ量が大きい。
【００４９】
光軸調整では、この図９のグラフに基づく相関関係を利用して、ＤＶＤ用レーザ光の実際の光軸ずれ量を求める。例えば、Ｓ６で得られたＤＶＤ用レーザ光の非対応状態の光軸ずれ量がＰｘ＝４０（％）、Ｐｙ＝６０（％）であった場合、実際の光軸ずれ量は、図９（ａ）のグラフよりＰｘ＝３２（％）、図９（ｂ）のグラフよりＰｙ＝−３１（％）であることが求められる。つまり、ＤＶＤ用レーザ光の光軸ずれ量が、ＤＶＤ用（疑似）ディスクを用いなくとも算出される。
【００５０】
このように、光軸調整装置２には、予め測定した図９のような光軸ずれ量の相関関係グラフに基づき求められた、非対応状態の光軸ずれ量と実際の光軸ずれ量の差異分が保存されたメモリテーブルが備えられているため、このメモリテーブルにより、Ｓ６およびＳ７において、非対応状態の光軸ずれ量が実際の光軸ずれ量に変換されることとなる。このようにして変換された光軸ずれ量は、目標位置（ＤＶＤ受光部７２２の位置から、上記相関関係グラフに基づき算出した光軸ずれ量分移動した位置）として補正手段としての目標位置設定手段によりモニタ上に表示される。したがって、目標位置設定手段によってモニタ上に表示された目標位置に、非対応状態での戻り光ＬＲ２のスポット位置を合わせることで光軸調整を行うことができる。
【００５１】
また、本実施の形態では補正手段としてメモリテーブルを用いているが、メモリテーブルは必ずしも必要ではない。すなわち、メモリーテーブルを用いることなく、相関関係グラフに基づき求められた非対応状態の光軸ずれ量と実際の光軸ずれ量の差を予め算出しておき、このずれ量を考慮した目標位置を目標位置設定手段によりモニタ上に表示させてもよい。
【００５２】
そして、このようにして求められたＤＶＤ用レーザ光の光軸ずれがない（Ｐｘ＝０（％）、Ｐｙ＝０（％））場合（Ｓ８「ＮＯ」）には、ＣＤおよびＤＶＤ用レーザ光の光軸ずれはないため、光軸調整は完了する（Ｓ１３）。
【００５３】
一方、求められたＤＶＤ用レーザ光の光軸ずれが生じている（Ｐｘ≠０（％）、Ｐｙ≠０（％））場合（Ｓ８「ＹＥＳ」）には、メモリテーブルより算出した実際の光軸ずれ量に基づき、上記第一の実施形態に係る光軸調整装置１と同様に、ＣＤ用受光部７２１の中心点Ｃを中心として回転台１２を回転させることにより、ＤＶＤ用レーザ光の光軸調整がなされる（Ｓ９）。
【００５４】
その後、ＤＶＤ用レーザ光を消灯（Ｓ１０）し、必要であれば、再度ＣＤ用レーザ光を出力（Ｓ１１）することで、ＣＤ用レーザ光の光軸ずれがないか確認作業を行う（Ｓ１２）。ここで、ＣＤ用レーザ光の光軸ずれがなければ（Ｓ１２「ＮＯ」）、光軸調整は完了する（Ｓ１３）。一方、再度ＣＤ用レーザ光の光軸ずれが生じてしまった場合（Ｓ１２「ＹＥＳ」）には、Ｓ３に戻り再度ＣＤおよびＤＶＤ用レーザ光の光軸調整を行う。
【００５５】
なお、この光軸調整装置２は、ＣＤ用疑似ディスクを搭載し、ＤＶＤ用レーザ光の光軸ずれを非対応状態の光軸ずれ量よりメモリテーブルに基づき算出するものであったが、その逆、つまり、ＤＶＤ用疑似ディスクを搭載し、ＣＤ用レーザ光の光軸ずれをメモリテーブルにより算出するものであってもよい。
【００５６】
また、上記光軸調整装置１および２においては、二波長レーザ光源５２が固定されたフレーム８０を回転させることにより、光軸調整を行うことを説明したが、このような構成に限られるものではない。すなわち、戻り光ＬＲの受光面７２におけるスポット位置ＳＰ１、あるいはＳＰ２を回転方向に調整することができるものであればよく、受光素子７０や、光学系Ｋを構成する光学素子のいずれかを回転させるものであってもよい。
【００５７】
（本実施形態の効果）
このように、本実施形態に係る光軸調整装置１（２）によれば、光ヘッド装置５０を構成する二波長レーザ光源５２、受光素子７０および光学系Ｋを構成する光学素子のいずれかを回転部１０により回転させることで、受光面７２における戻り光のスポット位置を回転移動させることが可能となる。そのため、光軸調整の対象となる光ヘッド装置５０が二波長レーザ光源５２を搭載したものであっても、迅速な光軸調整を行うことができると共に、二種レーザ光の戻り光ＬＲを受光素子７０のＣＤ用受光部７２１あるいはＤＶＤ受光部７２２に正確に一致させることができ、光ヘッド装置５０の品質向上に寄与する。
【００５８】
また、回転部１０は、二波長レーザ光源５２が固定されたフレーム８０全体をを回転させることができるものであるため、光ヘッド装置５０の光軸調整を迅速に行うことができると共に、光軸調整装置１（２）の構成を簡易なものとすることができる。
【００５９】
また、本実施形態に係る光軸調整装置２は、ＣＤ用疑似ディスクあるいはＤＶＤ用疑似ディスクが搭載され、その搭載されたディスクを再生するためのレーザ光とは異なるレーザ光を出射した場合における光軸ずれ量（非対応状態の光軸ずれ量）を、対応したディスクに対して出射した場合に生じる光軸ずれ量（実際の光軸ずれ量）に変換するためのメモリテーブル等の補正手段を備えている。そのため、ＣＤ用疑似ディスクあるいはＤＶＤ用疑似ディスクのいずれか一方を搭載した一台の光軸調整装置２で、ＣＤ、ＤＶＤ用レーザ光の両方の光軸調整が可能となる。よって、ＣＤ用光軸調整装置およびＤＶＤ光軸調整装置を使用した場合のように、一方の光軸調整装置から他方の光軸調整装置に載せかえる必要がないため、光軸調整を迅速に行うことができる。
【００６０】
また、上記光軸調整装置１（２）を用いた光軸調整方法は、ＣＤ用レーザ光あるいはＤＶＤ用レーザ光のいずれか一方の戻り光ＬＲのスポット位置が、その戻り光ＬＲに対応した受光素子７０の受光部に一致するように調整し、そこで調整した戻り光ＬＲの光軸を中心としてもう一方の戻り光を受光面７２において回転させることにより、その戻り光ＬＲのスポット位置が対応した受光部に一致するように調整するものである。このような光軸調整方法とすることで、迅速かつ正確に光軸調整を行うことができ、光ヘッド装置の製造コストの大幅な低減、品質向上につながる。
【００６１】
以上、本発明の実施の形態について詳細に説明したが、本発明は上記実施の形態に何ら限定されるものではなく、本発明の要旨を逸脱しない範囲で種々の改変が可能である。
【００６２】
例えば、本実施形態に係る光軸調整装置は、ＣＤおよびＤＶＤの再生、記録の双方に対応した、いわゆるＣＤ／ＤＶＤデュアルライタードライブの光ヘッド装置に使用できるものであることを説明したが、再生、記録の対象となるディスクはＣＤあるいはＤＶＤに限られるものではない。
【００６３】
また、本発明の技術的思想は、ＣＤあるいはＤＶＤの少なくとも一方に、トラッキングの安定性を高めることを目的とした、いわゆる「３ビーム法」を採用した光ヘッド装置であっても適用可能である。例えば、図１２に示すように、ＣＤ用受光部７２１がメインビームを受光するメイン受光部７２１ａ、および二つのサブ受光部７２１ｂ，７２１ｃとからなる受光素子７０ａを搭載した光ヘッド装置であっても、サブビームがないものとして本発明に係る光軸調整装置および光軸調整方法を適用すれば、メインビームと同時にサブビームの光軸調整も完了することとなる。  
【図面の簡単な説明】
【００６４】
【図１】本発明の実施形態に係る光軸調整装置の構成を説明するための概略図である。
【図２】光ヘッド装置の光学系を模式的に示した概略構成図である。
【図３】光ヘッド装置の外観斜視図である。
【図４】光ヘッド装置に搭載された受光素子の外観斜視図である。
【図５】図１に示した光軸調整装置（第一の実施形態に係る光軸調整装置）を用いた光ヘッド装置の光軸調整方法を説明するためのフローチャートである。
【図６】第一の調整工程（ＣＤ（ＤＶＤ）用レーザ光の光軸調整）を説明するための平面図である。
【図７】第二の調整工程（ＤＶＤ（ＣＤ）用レーザ光の光軸調整）を説明するための平面図である。
【図８】図１に示した光軸調整装置（第二の実施形態に係る光軸調整装置）を用いた光ヘッド装置の光軸調整方法を説明するためのフローチャートである。
【図９】ある光ヘッド装置のＤＶＤ用レーザ光を、あるＣＤ用疑似ディスクおよびＤＶＤ用疑似ディスクに出射したときの受光面における光軸ずれ量の相関関係を示したグラフである。
【図１０】受光素子の受光面における戻り光の光軸ずれ量の定義を説明するための概略図である。
【図１１】図１１（ａ）は戻り光の光軸ずれ量がＰｘ＝０、Ｐｙ＝１００の時の平面図であり、図１１（ｂ）は戻り光の光軸ずれ量がＰｘ＝−１００、Ｐｙ＝０の時の平面図である。
【図１２】いわゆる「３ビーム法」を採用した光ヘッド装置の受光素子を受光面側から見た平面図である。
【図１３】図１３（ａ）は、ＣＤ用およびＤＶＤ用レーザ光のそれぞれについて光軸調整がなされる様子を示した受光素子の受光面の概略図であり、図１３（ｂ）は、ＣＤ用レーザ光の戻り光のＣＤ用受光部からのずれ量と、ＤＶＤ用レーザ光の戻り光のＤＶＤ用受光部とからのずれ量が異なる状態を示した受光素子の受光面の概略図である。
【符号の説明】
【００６５】
１、２            光軸調整装置
１０              回転部
５０              光ヘッド装置
５２              二波長レーザ光源
７０              受光素子
７２              受光面
７２１            ＣＤ用受光部
７２２            ＤＶＤ用受光部
８０              フレーム
Ｄ                ディスク
Ｋ                光学系
【図１】
2008293623.tif 000003
【図２】
2008293623.tif 000004
【図３】
2008293623.tif 000005
【図４】
2008293623.tif 000006
【図５】
2008293623.tif 000007
【図６】
2008293623.tif 000008
【図７】
2008293623.tif 000009
【図８】
2008293623.tif 000010
【図９】
2008293623.tif 000011
【図１０】
2008293623.tif 000012
【図１１】
2008293623.tif 000013
【図１２】
2008293623.tif 000014
【図１３】
2008293623.tif 000015